(57)【特許請求の範囲】
【請求項１】
１個づつ順次送られてくる遊技球を受け入れるガイド部、該ガイド部内で回転可能な回転部材、該回転部材を所定の速度で回転させる球発射駆動用モータを備え、上記回転部材の回転に伴う遠心力により球をガイド部内にて加速案内し、この遠心力を付与された遊技球を発射レールから遊技盤上に放出発射する遊技機の球発射装置において、
上記回転部材にガイド部の内周面に摺接する掃除部材を設け、回転部材の回転と共に上記掃除部材を回転させることにより、ガイド部内の球が転動する内周面を清掃可能なようにしたことを特徴とする遊技機の球発射装置。
【請求項２】
ガイド部の内周面を断面Ｖ字状に形成した請求項１に記載の遊技機の球発射装置。
【請求項３】
回転部材をレバー型に形成すると共に、当該レバーの一端にコロを備える球受部を形成し、他端に掃除部材を設けた請求項１又は請求項２に記載の遊技機の球発射装置。
【請求項４】
回転部材を円筒型に形成し、当該円筒の外周部分の一部に形成する球受部を避けて、球の放出に影響を与えない位置に掃除部材を設けた請求項１又は請求項２に記載の遊技機の球発射装置。
【発明の詳細な説明】
【０００１】
【産業上の利用分野】
本発明は、モータの回転を利用したパチンコ機、コイン式遊技機等を含む遊技機の球発射装置に関し、特に、球を誘導加速するガイド部内を清掃可能にした遊技機の球発射装置に関するものである。
【０００２】
【従来の技術】
従来、パチンコ機の球発射装置としては、一般にモータ或はソレノイド等を駆動源とする作動杵を連続往復運動させて球発射位置にある球を一球づつ弾発させていた。
一方、近年、モータの回転運動をそのまま利用したパチンコ機の球発射装置が、例えば特開平５−２８５２５３号公報等によって提案されている。この球発射装置は、順次送られてくるパチンコ球をガイド部内で回転可能な回転ホルダの球受部に受け入れ、該球受部内に受け入れた状態で回転駆動モータにより回転ホルダを回転させ、該回転ホルダの回転に伴う遠心力により生ずる球の運動をガイド部により加速案内し、該遠心力を付与された球を発射路を介して遊技盤上に放出発射するものである。
【０００３】
【発明が解決しようとする課題】
しかしながら、従来のパチンコ機の球発射装置は、球を加速案内するガイド部の内周面における障害については何等考慮されていないのが現状であった。即ち、上記のような球発射装置においては、発射される球はガイド部の内周面に接しながら周回しているため、ガイド部の内周面が汚れると摩擦抵抗が増加して所定の遠心力を得られなくなり、発射が不安定になって遊技部の狙った位置へ球を発射することができなかった。また、ゴミ等が詰まると回転部材が停止してしまうため、球の発射が不能になってしまう。
本発明は上記に鑑み提案されたもので、球発射装置のガイド部内を常に清潔に保つことができ、摩擦抵抗の増加を防止して、設定通りの球の発射が可能な球発射装置を提供することを目的とする。
【０００４】
【課題を解決するための手段】
上記目的を達成するため本発明は、１個づつ順次送られてくる遊技球を受け入れるガイド部、該ガイド部内で回転可能な回転部材、該回転部材を所定の速度で回転させる球発射駆動用モータを備え、上記回転部材の回転に伴う遠心力により球をガイド部内にて加速案内し、この遠心力を付与された遊技球を発射レールから遊技盤上に放出発射する遊技機の球発射装置において、上記回転部材にガイド部の内周面に摺接する掃除部材を設け、回転部材の回転と共に上記掃除部材を回転させることにより、ガイド部内の球が転動する内周面を清掃可能なようにしたものである。
【０００５】
【作用】
本発明は上記した構成により、球発射装置のガイド部の内周面を常に掃除部材によって清潔に保つことができ、摩擦抵抗の増加を防止することができるので、ゴミ等によって回転部材の回転に異常をきたすことがない。
【０００６】
【実施例】
以下、本発明を図面の実施例について説明すると、図１はパチンコ機１の一部を欠截した正面図であって、窓部を有して額縁状の前枠１１の一側を外枠１２に開閉可能に蝶着し、上記窓部には金枠１３を設け、該金枠１３の上方部分にはガラスを装着したガラス枠１４を開閉可能に軸着し、上記外枠１２及びガラス枠１４を施錠装置１５で施錠する。また、ガラス枠１４の下方部分には上受皿２１を設けたボックスプレート２２等からなる上皿セット２を設け、前枠１１の下方部分には下受皿３１を設けた下皿セット３を設ける。尚、上記上皿セット２の裏面側には上受皿２１から後述する球発射装置４へ球を一個宛に供給する球送り装置やスピーカが位置する。
【０００７】
そして、上記前枠１１の窓部には、この窓部を塞ぐように交換可能とした遊技盤５を臨ませる。遊技盤５の表面側にはガイドレール５１で囲まれる遊技部５２を形成すると共に、当該遊技部５２内に可変表示装置５３や変動入賞装置５４等の各種役物、始動口５５や各種入賞具５６ａ，５６ｂ、風車５７ａ，５７ｂ、或は各種表示灯５８…等を配設し、最下位置にアウト口５９を配設する。尚、ガイドレール５１の外側で右側の上方部分に配設した表示灯５８Ｃは完了表示灯を構成し、左側の上方部分に配設した表示灯５８ｄは賞球表示灯を構成している。また、前枠１１の上縁には外部表示灯５８ｉが設けてある。
【０００８】
上記下皿セット３の前面側には後述する球発射装置４により遊技部５２に打ち込む打球の飛距離を調整するための操作ハンドル３２を設ける。
【０００９】
一方、図２はパチンコ機１の背面図であって、上記前枠１１の背面側には、遊技盤５を着脱自在に収納する皿枠状の金属板からなるリヤプレート（機構板）１６を添設し、このリヤプレート１６の背面側にはベース本体等の機構枠体１６ａを設ける。尚、この機構枠体１６ａはパチンコ機１の背面側における主要部材を前枠１１の裏面側に取り付けるための部材の総称である。そして、上記ベース本体に向かって左側の上方部分には、賞球を貯留しておく上タンク１７を着脱自在に設けると共に、この上タンク１７に連通して当該上タンク１７の球を賞球払出装置１８ａに誘導する下タンク１７ａを設ける。また、上タンク１７の右側位置には、枠制御回路（基板）とホールコンピュータ等の外部とを電気的に接続する本体端子板１９を配置すると共に、遊技盤５の裏面側に止着した遊技盤制御回路（基板）と外部及び上記本体端子板１９とを電気的に接続する中継端子板１９ａが臨む配線通過口１９ｂを開設する。
【００１０】
上記リヤプレート１６には蝶番１６ｂを介して機構枠体１６ａの一種である機構枠セット部材１６ｃを開閉可能に蝶着する。この機構枠セット部材１６ｃは閉止時にリヤプレート１６の所定部分を覆う部材であって、上記下タンク１７ａに連通する賞球樋や賞球払出装置１８ａを形成すると共に、当該賞球払出装置１８ａが払い出す賞球を賞球出口２３を通して上受皿２１に導く賞球放出路等を形成する。また、上記機構枠セット部材１６ｃには遊技盤５の後方ほゞ中央部分を覆うリヤカバー１６ｄを形成し、当該リヤカバー１６ｄの下縁部分には入賞球の誘導路や入賞球を入賞球処理装置１８ｂに導く整流樋ユニットを設ける。更に、上記リヤカバー１６ｄの側方部分には遊技盤制御回路を収設した遊技盤制御ボックス１８ｃに対応する開口窓を開設し、該開口窓の側縁に沿って配線押え部１９ｃを形成する。
【００１１】
球発射装置４は、例えば図３ないし図５に示すように、ガイド部４１と、駆動源を設けた回転部材４２とを備え、図１に示すように遊技部５２に向う発射レール４３が臨んでいる。
【００１２】
ガイド部４１は、ほゞ円盤形の空間であって、ほゞ矩形の外枠の内面側に円形の囲繞リブ４３ｃを突設した一対のカバー体４３ａ，４３ｂを組み合せることによって形成してある。このカバー体４３ａ，４３ｂの間隔は、球１個が接触することなく周回可能な間隔となっている。上記ガイド部４１の中心には、駆動源である球発射駆動用モータ４４の回転軸４４ａを臨ませ、該回転軸４４ａには回転部材４２を装着する。
【００１３】
ガイド部４１の一部には、回転部材４２の回転方向に沿って球放出部４５を開設する。この球放出部４５は、カバー体４３ａ，４３ｂの下一隅を切り欠いて開設してある。即ち、カバー体４３ａ，４３ｂの外枠及び囲繞リブ４３ｃの一部を球の直径よりも大きく切り欠いている。
【００１４】
上記カバー体４３ａ，４３ｂの外枠の一側には、球送り装置から１個づつ順次送られてくるパチンコ球をガイド部４１内に取り込むための取込孔４６が開設してある。そして、この取込孔４６は回転部材４２が原点にあるときに後述する回転部材４２の球受部４７に連通して取り込むようになっている。
【００１５】
上記回転部材４２は、この実施例によれば、レバー型に形成してあり、当該レバーの一端にコロ４７ａを備える球受部４７を形成し、他端に掃除部材６１が設けてある。
【００１６】
掃除部材６１は、例えば合成繊維或は天然繊維からなる多数の毛を植毛したブラシ６１ａである。そして、上記ブラシ６１ａの先端部分がガイド部４１の内周面に摺接する。尚、掃除部材６１としてはスポンジ等を使用することもできる。
【００１７】
そこで、レバー型の回転部材４２が駆動源であるモータ４４によって回転すると、球受部４７に載った球を回転方向に押し出すと共に、ガイド部４１の内周面を清掃することができる。即ち、上記ブラシ６１ａによって、内周面に付着した球垢やゴミ等をかき取り或は掃き出すと共に、球放出部４５から排出させることができる。
【００１８】
従って、ガイド部４１の内周面を常に清潔に保つことができ、内周面の摩擦抵抗を初期のままに維持することができる。そこで、回転部材４２が回転して球に遠心力を付与する際、初期設定通りの回転速度が得られるので、初期設定通りに球を発射可能であって、球飛びが安定し、狙った位置へ正確に発射することができる。
【００１９】
また、掃除部材６１を駆動するための駆動源を別途に用いていないので、構成がきわめて簡単であると共に、コスト増を招くことがない。
【００２０】
更に、本発明の球発射装置４によれば、当該球発射装置４を分解してガイド部４１内を清掃する必要がないので、メンテナンス作業がきわめて容易になる。
【００２１】
図６は、本発明の他の実施例を示す正面図である。この実施例においては、回転部材４２を円筒型に形成し、当該円筒の外周部分の一部に形成する球受部４７を避けた球の放出に影響を与えない位置に掃除部材６１を設けている。
【００２２】
即ち、この実施例における回転部材４２は、一対の側壁及び外周壁４２ａを有する円筒型に形成してある。また、回転部材４２の外周壁４２ａの一部を凹陥させて、球１個を受入可能な球受部４７を形成する。この球受部４７には、図示の実施例では、外周壁４２ａに連なる平坦部４７ｂの深部にほゞ鼓型のコロ４７ａが回動自在に軸着してある。従って、このコロ４７ａよって球受部４７に載った球がガイド部４１の内面を抵抗なく旋回する。
【００２３】
そして、上記円筒形の回転部材４２の一部に、例えば、上記球受部４７とほゞ対称な位置に、前記実施例と同様に掃除部材６１としてブラシ６１ａが設けてある。このような位置に掃除部材６１を設けるときは、回転部材４２の回転バランスを図ることができ、モータ４４に片寄った負荷が掛かることがなくなり、滑らかな回転が可能である。尚、掃除部材６１を設ける位置は、上記した位置に限ることなく、球の放出に影響を与えない位置ならばどこに設けてもよい。また、掃除部材６１を複数箇所に設けるようにすることもできる。
【００２４】
このような実施例によっても、回転部材４２が回転するときに、ブラシ６１ａの先端部分がガイド部４１の内周面に摺接して、内周面を清掃することができる。従って、ガイド部４１の内周面を常に清潔に保つことができ、内周面の摩擦抵抗を初期状態に維持することができる。そこで、球を初期設定通りに発射可能であって、球飛びが安定し、狙った位置へ正確に発射することができる。
【００２５】
図７は、本発明に係る球発射装置４の更に他の実施例を示す断面図である。この実施例においては、ガイド部４１、換言するとカバー体４３を断面形状がＶ字状になるように形成してる。このようにガイド部４１をＶ字状に形成するときは、球がＶ字の中央に安定するので、球の発射がより安定する。また、掃除部材６１によってガイド部４１の内周面を掃除するときも、取りこぼしがなく掃除し易くなる。
【００２６】
尚、上記した各実施例を示す図面において、前記した図３ないし図５に示した実施例と同じ構成の部材には、同一符号を付して説明を省略する。
【００２７】
以上本発明を図面の各実施例について説明したが、本発明は上記した各実施例に限定されるものではなく、特許請求の範囲に記載した構成を変更しない限り適宜に実施できる。例えば、回転部材の構造や掃除部材の位置や材質等は適宜に設定することができる。
【００２８】
【発明の効果】
以上要するに本発明は、１個づつ順次送られてくる遊技球を受け入れるガイド部、該ガイド部内で回転可能な回転部材、該回転部材を所定の速度で回転させる球発射駆動用モータを備え、上記回転部材の回転に伴う遠心力により球をガイド部内にて加速案内し、この遠心力を付与された遊技球を発射レールから遊技盤上に放出発射する遊技機の球発射装置において、上記回転部材にガイド部の内周面に摺接する掃除部材を設け、回転部材の回転と共に上記掃除部材を回転させることにより、ガイド部内の球が転動する内周面を清掃可能なようにしたので、回転部材が回転するときに、掃除部材の先端部分がガイド部の内周面に摺接して、内周面を清掃することができる。従って、ガイド部の内周面を常に清潔に保つことができ、内周面の摩擦抵抗を初期状態に維持することができる。そこで、初期設定通りに球の発射が可能であって、球飛びが安定し、且つ狙った位置へ正確に発射することができる。
【図面の簡単な説明】
【図１】パチンコ機の一部欠截正面図である。
【図２】パチンコ機の概略背面図である。
【図３】球発射装置の一実施例の正面図である。
【図４】図３のＡ−Ａ線断面図である。
【図５】図４のＢ−Ｂ線断面図である。
【図６】本発明の他の実施例を示す正面図である。
【図７】本発明の更に他の実施例を示す断面図である。
【符号の説明】
１  パチンコ機
４  球発射装置
４１  ガイド部
４２  回転部材
４３  カバー体
４４  モータ
４７  球受部
４７ａ  コロ
６１  掃除部材
【図１】
0003675501.tif 000002
【図２】
0003675501.tif 000003
【図３】
0003675501.tif 000004
【図４】
0003675501.tif 000005
【図５】
0003675501.tif 000006
【図６】
0003675501.tif 000007
【図７】
0003675501.tif 000008